(57)【要約】【課題】複数本の電線を円滑かつ容易に収容することが可能な配索作業性に優れた電線保持構造及びそれを備えたバスバーモジュールを提供すること。【解決手段】電線保持構造３２における収容溝部６０は、底部６１と、底部６１から立設されて互いに対向位置に配置された一対の側壁部６３と、側壁部６３から互いに近接する方向へそれぞれ突設され、先端同士の間隔Ｇ２が電線８の外径寸法Ｄよりも狭くされた係止片６７とを有し、複数本の電線８が収容される。電線整列部８０は、電線８の外径寸法Ｄより大きくかつ電線８の二本分の外径寸法（Ｄ×２）より小さい間隔Ｇ３をあけて底部６１に立設された一対のガイド壁部８１を有して収容溝部６０の両端側に設けられ、収容溝部６０へ複数本の電線８を一本ずつ整列させて導く。【選択図】図５
2020205186.tif 000002
【特許請求の範囲】
【請求項１】
底部と、前記底部から立設されて互いに対向位置に配置された一対の側壁部と、前記側壁部から互いに近接する方向へそれぞれ突設され、先端同士の間隔が電線の外径寸法よりも狭くされた係止片とを有し、複数本の前記電線が収容される収容溝部と、
前記電線の外径寸法より大きくかつ前記電線の二本分の外径寸法より小さい間隔をあけて前記底部に立設された一対のガイド壁部を有して前記収容溝部の少なくとも一端側に設けられ、前記収容溝部へ前記複数本の電線を一本ずつ整列させて導く電線整列部と、
を備えることを特徴とする電線保持構造。
【請求項２】
前記一対のガイド壁部の高さが、前記一対の側壁部の高さよりも高い
ことを特徴とする請求項１に記載の電線保持構造。
【請求項３】
前記電線整列部は、前記収容溝部の両端側にそれぞれ設けられている
ことを特徴とする請求項１または請求項２に記載の電線保持構造。
【請求項４】
前記側壁部に対して前記係止片の突出側と反対側に、変形防止部が隙間をあけて設けられている
ことを特徴とする請求項１〜３のいずれか一項に記載の電線保持構造。
【請求項５】
前記側壁部は、前記電線の配索方向に沿う中央部分における前記底部側に切欠き部を設けることで、上縁部分が前記係止片を有する梁状部とされている
ことを特徴とする請求項１〜４のいずれか一項に記載の電線保持構造。
【請求項６】
複数の単電池で構成された電池集合体に組付けられるケースと、前記ケースに支持され、前記電池集合体の前記単電池の電極に電気的に接続固定されるバスバーと、を備え、
請求項１〜５のいずれか一項に記載の電線保持構造が前記ケースに設けられている
ことを特徴とするバスバーモジュール。
【請求項７】
前記ケースは、二列に並べられたバスバー収容部の配列に沿う一対の電線配索溝部同士を連結するブリッジ部を有し、前記電線保持構造が前記ブリッジ部に設けられている
ことを特徴とする請求項６に記載のバスバーモジュール。
【発明の詳細な説明】
【技術分野】
【０００１】
本発明は、電線保持構造及びバスバーモジュールに関する。
【背景技術】
【０００２】
例えば、電動モータを用いて走行する電気自動車や、エンジンと電動モータとを併用して走行するハイブリッド自動車等の各種車両に搭載される電源装置は、電池集合体を構成する複数の単電池の電極に接続されるバスバーと、バスバーを収容するとともにバスバー等から延びる電線の配索経路を規制するケースとを有するバスバーモジュールを備えている（例えば、特許文献１参照）。
バスバーモジュールのケースは、電線を配索するための電線保持構造を有しており、電線は、この電線保持構造における電線配索溝部に収容されることで配索経路が規制される。この電線保持構造は、収容した電線が抜け出さないように、上部を塞ぐ蓋部を備えている。
【先行技術文献】
【特許文献】
【０００３】
【特許文献１】特開２０１１−６５８６３号公報
【発明の概要】
【発明が解決しようとする課題】
【０００４】
上記の電線保持構造を有するバスバーモジュールでは、電線を配索する際に、電線配索溝部に電線を収容し、その後、電線配索溝部の上部に蓋部を被せなければならず、蓋部による電線の噛み込みを防止して電線の配索作業性の改善が要求される。
【０００５】
このため、電線配索溝部を構成する両側壁部の上縁部分に、互いに近接する方向へ突出する係止片を設け、これらの係止片の間へ電線を押し込んで電線配索溝部内へ収容させる電線保持構造が考えられる。この電線保持構造では、係止片によって電線の抜け出しが防がれるため、蓋部による電線の噛み込みを防止したり、蓋部を省略したりすることができ、電線の配索作業性を向上できる。
【０００６】
しかし、電線配索溝部へ複数本の電線を収容させる場合、係止片の間へ複数本の電線がまとめて押し込まれることで、電線配索溝部の側壁部が過度に変形されて塑性変形や破損するおそれがあった。このため、作業者は、係止片の間へ電線を一本ずつ押し込まなければならず、要求される電線の配索作業性の向上が望めなかった。
【０００７】
本発明は、上述した事情に鑑みてなされたものであり、その目的は、複数本の電線を円滑かつ容易に収容することが可能な配索作業性に優れた電線保持構造及びそれを備えたバスバーモジュールを提供することにある。
【課題を解決するための手段】
【０００８】
本発明に係る上記目的は、下記構成により達成される。
（１）  底部と、前記底部から立設されて互いに対向位置に配置された一対の側壁部と、前記側壁部から互いに近接する方向へそれぞれ突設され、先端同士の間隔が電線の外径寸法よりも狭くされた係止片とを有し、複数本の前記電線が収容される収容溝部と、前記電線の外径寸法より大きくかつ前記電線の二本分の外径寸法より小さい間隔をあけて前記底部に立設された一対のガイド壁部を有して前記収容溝部の少なくとも一端側に設けられ、前記収容溝部へ前記複数本の電線を一本ずつ整列させて導く電線整列部と、を備えることを特徴とする電線保持構造。
【０００９】
上記（１）の構成の電線保持構造によれば、収容溝部へ複数本の電線を収容させる際に、複数本の電線が電線整列部における一対のガイド壁部の間に一本ずつ通されて収容溝部へ案内される。これにより、収容溝部を構成する両側壁部の係止片の間へ複数本の電線がまとめて押し込まれることで側壁部が過度に変形されて塑性変形や破損するのを抑制できる。したがって、作業者は、必要以上に注意しながら作業することなく複数本の電線を収容溝部へ収容させることができ、配索作業性を向上させることができる。
【００１０】
（２）  前記一対のガイド壁部の高さが、前記一対の側壁部の高さよりも高いことを特徴とする上記（１）に記載の電線保持構造。
【００１１】
上記（２）の構成の電線保持構造によれば、複数本の電線を電線保持構造に対する配索方向に沿って上方側から近付けるだけで、先ずはこれら電線を電線整列部に沿わせることができる。そして、これら電線を底部に向かって押し下げることで、複数本の電線が電線整列部における一対のガイド壁部の間に一本ずつ通されて収容溝部へ案内される。従って、作業者は、複数本の電線を収容溝部へ容易に収容させることができ、配索作業性が更に向上する。
【００１２】
（３）  前記電線整列部は、前記収容溝部の両端側にそれぞれ設けられていることを特徴とする上記（１）または（２）に記載の電線保持構造。
【００１３】
上記（３）の構成の電線保持構造によれば、収容溝部の両端側で電線を一本ずつに整列させることができ、収容溝部への複数本の電線の収容作業をより円滑に行うことができる。
【００１４】
（４）  前記側壁部に対して前記係止片の突出側と反対側に、変形防止部が隙間をあけて設けられていることを特徴とする上記（１）〜（３）のいずれか１つに記載の電線保持構造。
【００１５】
上記（４）の構成の電線保持構造によれば、収容溝部への電線の収容作業時などに、側壁部に無理な力が作用したとしても、側壁部が変形防止部に当接することで過度な変形が抑制される。これにより、収容溝部を構成する側壁部の塑性変形や破損をより確実に抑制できる。
【００１６】
（５）  前記側壁部は、前記電線の配索方向に沿う中央部分における前記底部側に切欠き部を設けることで、上縁部分が前記係止片を有する梁状部とされていることを特徴とする上記（１）〜（４）のいずれか１つに記載の電線保持構造。
【００１７】
上記（５）の構成の電線保持構造によれば、側壁部の上縁部分が、係止片を有する梁状部とされている。したがって、収容溝部へ電線が押し込まれる際に、係止片が形成された側壁部は容易に弾性変形することができる。これにより、収容溝部への電線の収容作業を容易に行うことができる。
【００１８】
（６）  複数の単電池で構成された電池集合体に組付けられるケースと、前記ケースに支持され、前記電池集合体の前記単電池の電極に電気的に接続固定されるバスバーと、を備え、上記（１）〜（５）のいずれか１つに記載の電線保持構造が前記ケースに設けられていることを特徴とするバスバーモジュール。
【００１９】
上記（６）の構成のバスバーモジュールによれば、バスバーに接続される電線や単電池の温度を検出するサーミスタなどから延びる電線が、ケースに設けられた収容溝部へ円滑に収容されて配索される。これにより、電池集合体へ組付けるバスバーモジュールにおける配索作業性を向上させることができる。
【００２０】
（７）  前記ケースは、二列に並べられたバスバー収容部の配列に沿う一対の電線配索溝部同士を連結するブリッジ部を有し、前記電線保持構造が前記ブリッジ部に設けられていることを特徴とする上記（６）に記載のバスバーモジュール。
【００２１】
上記（７）の構成のバスバーモジュールによれば、ケースにおける二列のバスバー収容部を跨いで配索される複数本の電線が、一対の電線配索溝部同士を連結するブリッジ部に設けられた収容溝部へ円滑に収容されて配索される。これにより、バスバーモジュールのブリッジ部における配索作業性を向上させることができる。
【発明の効果】
【００２２】
本発明によれば、複数本の電線を円滑かつ容易に収容することが可能な配索作業性に優れた電線保持構造及びそれを備えたバスバーモジュールを提供できる。
【００２３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２４】
【図１】本発明の一実施形態に係るバスバーモジュール及び電池集合体の斜視図である。
【図２】図１に示したバスバーモジュールの平面図である。
【図３】図２に示したバスバーモジュールのケースに設けられた電線保持構造における収容溝部の斜視図である。
【図４】電線が収容された収容溝部の平面図である。
【図５】図４におけるＡ−Ａ断面図である。
【図６】収容溝部への電線の収容状態を示す図であって、（ａ）〜（ｃ）は、それぞれ電線の収容途中の図４におけるＡ−Ａ断面図である。
【図７】収容溝部への電線の収容状態を示す図であって、（ａ）〜（ｃ）は、それぞれ電線の収容途中の図４におけるＡ−Ａ断面図である。
【図８】参考例に係る電線保持構造の斜視図である。
【図９】図９は、図８に示した収容溝部への電線の収容状態を示す図であって、（ａ）及び（ｂ）は、それぞれ電線の収容途中の図８におけるＢ−Ｂ断面図である。
【発明を実施するための形態】
【００２５】
以下、本発明に係る実施の形態の例を、図面を参照して説明する。
図１は、本発明の一実施形態に係るバスバーモジュール１０及び電池集合体１の斜視図である。
【００２６】
図１に示すように、本実施形態に係るバスバーモジュール１０は、電池集合体１の上部に組付けられて電源装置２を構成する。電源装置２は、電動モータを用いて走行する電気自動車や、エンジンと電動モータを併用して走行するハイブリッド自動車等の各種車両に搭載されて用いられ、電動モータに動力を供給するものである。
【００２７】
電池集合体１は、一方向に沿って一列に配列され且つ互いに固定された複数の単電池３で構成されている。各単電池３は、直方体状の電池本体４と、この電池本体４の上面の一端寄り及び他端寄りからそれぞれ突出して設けられた一対の電極５と、を備えている。一対の電極５のうち一方は正極であり、他方は負極である。
【００２８】
各単電池３は、電池本体４が互いに接するように配列されている。電池集合体１は、互いに隣り合う４個の単電池３毎に電極５の極が揃えられており、この電極５の極が揃えられた４個の単電池３で一つの電池セットＢＳとされている。本例では、４個の単電池３からなる４つの電池セットＢＳを備えており、互いに隣接する単電池３の電池セットＢＳは、電極５の極が互い違いとなるように配置されている。
【００２９】
一対の電極５は、それぞれ、導電性の金属により形成されている。電極５は、板状の座板部６と、この座板部６の中心に立設された円柱状の極柱７とを有している。極柱７は、外周に雄ねじが形成されており、ナット（図示略）が締結される。
【００３０】
図２は、図１に示したバスバーモジュール１０の平面図である。
図２に示すように、バスバーモジュール１０は、ケース２０と、バスバー５０とを備えている。バスバーモジュール１０は、単電池３の各電池セットＢＳを電気的に直列に接続する。
【００３１】
ケース２０は、例えば、電気絶縁性の合成樹脂等によって一体に成形されており、複数のバスバー収容部２１を有している。
【００３２】
バスバー収容部２１は、複数の単電池３の配列方向に沿って二列に並べられている。バスバー収容部２１は、周壁部２２を有する枠体からなり、このバスバー収容部２１内にバスバー５０が収容される。
【００３３】
ケース２０は、バスバー収容部２１の配列に沿う二つの支持梁部２４を有しており、バスバー収容部２１は、それぞれ支持梁部２４に連結されて支持されている。二つの支持梁部２４は、ブリッジ部２５によって並列に連結されている。
【００３４】
一方（図２中、下方）の支持梁部２４には、電線配索溝部３１が設けられている。電線配索溝部３１は、上方側が開放された樋状に形成されている。また、他方（図２中、上方）の支持梁部２４の端部には、サーミスタ装着部２８が形成されており、このサーミスタ装着部２８には、単電池３の温度を検出するサーミスタ（図示略）が装着される。
【００３５】
二つの支持梁部２４同士を連結するブリッジ部２５には、上方側が開放された樋状の収容溝部６０を有する電線保持構造３２が設けられており、この電線保持構造３２における収容溝部６０は、電線配索溝部３１に連設されている。
【００３６】
また、それぞれのバスバー収容部２１及びサーミスタ装着部２８と電線配索溝部３１との間には、上方側が開放された樋状の電線配索溝部３３が連設されている。一方の列のバスバー収容部２１に連設された電線配索溝部３３は、一方の支持梁部２４の電線配索溝部３１に連設され、他方の列のバスバー収容部２１及びサーミスタ装着部２８に連設された電線配索溝部３３は、他方の支持梁部２４の電線配索溝部３１に連設されている。そして、一対の電線配索溝部３１は、ブリッジ部２５の電線保持構造３２における収容溝部６０に連設されている。
【００３７】
ケース２０の電線配索溝部３１，３３及び収容溝部６０には、バスバー５０に電気的に接続される電圧検出用の電線（図示略）やサーミスタから延びる電線（図示略）が収容される。そして、これらの電線は、一方の支持梁部２４の電線配索溝部３１の端部から引き出され、電圧監視回路及び温度監視回路を備えた回路基板（図示略）に接続される。
【００３８】
ケース２０のバスバー収容部２１に収容されるバスバー５０は、長尺に形成されている。バスバー５０は、導電性金属板に対して打抜き加工及び曲げ加工を行うことで形成されている。バスバー５０は、複数の電気接続部としての締結孔５１を有している。これらの締結孔５１は、電池集合体１の単電池３の配列方向に沿う電極５のピッチと同一ピッチで形成されている。締結孔５１は、電極５の極柱７の外径よりも僅かに大きな内径を有している。そして、これらの締結孔５１には、電極５の極柱７が挿通される。このバスバー５０の締結孔５１に通された電極５の極柱７には、ナットが螺合されて締め付けられる。これにより、バスバー５０における締結孔５１の縁部が電極５の座板部６とナットとで挟持された状態で締結（固定）され、バスバー５０と電極５とが電気的に接続固定される。
【００３９】
次に、ケース２０のブリッジ部２５に設けられた電線保持構造３２について詳述する。
図３は、図２に示したバスバーモジュール１０のケース２０に設けられた電線保持構造３２における収容溝部６０の斜視図である。図４は、電線８が収容された収容溝部６０の平面図である。図５は、図４におけるＡ−Ａ断面図である。
【００４０】
図３〜図５に示すように、ブリッジ部２５に設けられた電線保持構造３２は、収容溝部６０と、電線整列部８０とを備えている。
【００４１】
収容溝部６０は、上方が開放された凹状に形成されており、この収容溝部６０内に複数本の電線８が収容されて配索される。収容溝部６０は、底部６１と、この底部６１から立設された一対の側壁部６３とを有している。側壁部６３は、板状に形成されており、間隔をあけて互いに対向するように配置されている。側壁部６３は、電線８の外径寸法Ｄよりも大きな間隔Ｇ１をあけて配置されている。底部６１は、電線８の配索方向に沿う中央部分に開口部６２を有している。また、それぞれの側壁部６３は、電線８の配索方向に沿う中央部分における底部６１側に、底部６１の開口部６２と繋がる切欠き部６４が形成されている。これにより、側壁部６３は、電線８の配索方向に沿う中央部分における上縁部分が梁状部６６とされている。
【００４２】
側壁部６３の梁状部６６には、係止片６７が形成されている。それぞれの側壁部６３の梁状部６６に形成された係止片６７は、互いに近接する方向へ突出されている。係止片６７の先端同士の間には、電線８の外径寸法Ｄよりも僅かに小さい間隔Ｇ２が設けられている。また、係止片６７における底部６１と反対側の面である上面部分には、突出方向へ向かって次第に底部６１側へ傾斜する傾斜面６７ａが形成されている。
【００４３】
また、収容溝部６０の両側には、側壁部６３よりも厚い変形防止壁（変形防止部）７０が形成されている。変形防止壁７０は、底部６１から立設されており、それぞれ側壁部６３に対して、係止片６７の突出側と反対側に配置されている。変形防止壁７０には、電線８の配索方向に沿う中央部分に、側壁部６３へ向かって突出する支持凸部７１が形成されており、側壁部６３の梁状部６６に対して隙間をあけて配置されている。
【００４４】
電線整列部８０は、収容溝部６０の両端側に設けられている。電線整列部８０は、一対のガイド壁部８１を有している。これらのガイド壁部８１は、互いに間隔Ｇ３をあけて底部６１から立設されており、収容溝部６０に対して底部６１と反対側である上方側へ延在されている。これら一対のガイド壁部８１の高さは、収容溝部６０の一対の側壁部６３の高さよりも高くされている。電線整列部８０は、一対のガイド壁部８１の間がガイドスリット８２とされている。これらのガイドスリット８２は、収容溝部６０に対して、電線８の収容方向に沿って設けられ、電線８の配索方向に連通されている。
【００４５】
ガイドスリット８２は、その上端部が電線導入部８３とされており、この電線導入部８３から電線８が挿通される。また、各ガイド壁部８１の上端部には、底部６１へ向かって次第にガイドスリット８２の中央へ傾斜するガイド面８４が形成されている。ガイドスリット８２は、その間隔Ｇ３が、一本の電線８の外径寸法Ｄよりも僅かに大きく、電線８の二本分の外径寸法（Ｄ×２）よりも小さくされている。したがって、このガイドスリット８２には、一本ずつの電線８が挿通可能とされている。
【００４６】
次に、上記の電線保持構造３２に複数本の電線８を収容させて配索させる場合について説明する。ここでは、二本の電線８を電線保持構造３２に配索させる場合を例示する。
図６は、収容溝部６０への電線８の収容状態を示す図であって、図６の（ａ）〜（ｃ）は、それぞれ電線８の収容途中の図４におけるＡ−Ａ断面図である。図７は、収容溝部６０への電線８の収容状態を示す図であって、図７の（ａ）〜（ｃ）は、それぞれ電線８の収容途中の図４におけるＡ−Ａ断面図である。
【００４７】
図６の（ａ）に示すように、作業者は、二本の電線８を把持し、これらの電線８を電線保持構造３２に対する配索方向に沿って上方側から近付ける。そして、これらの電線８を、電線整列部８０の電線導入部８３に沿わせる。このとき、一対のガイド壁部８１の高さが一対の側壁部６３の高さよりも高くされているので、二本の電線８を電線保持構造３２に対する配索方向に沿って上方側から近付けるだけで、先ずはこれら電線８を電線整列部８０に沿わせることができる。さらに、これら電線８を底部６１に向かって押し下げることで、二本の電線８が電線整列部８０における一対のガイド壁部８１の間に一本ずつ通されて収容溝部６０へ案内される。即ち、二本の電線８は、ガイド壁部８１のガイド面８４によって一本ずつガイドスリット８２の中央へ向かって案内される。
【００４８】
図６の（ｂ）に示すように、二本の電線８は、一本の電線８の外径寸法Ｄよりも僅かに大きく、電線８の二本分の外径寸法（Ｄ×２）よりも小さい間隔Ｇ３を有する一対のガイド壁部８１の間のガイドスリット８２へ一本ずつ挿通される。
【００４９】
図６の（ｃ）に示すように、電線整列部８０のガイドスリット８２に一本ずつ挿通された電線８は、ガイドスリット８２に沿って収容溝部６０の上方へ案内され、先に挿通された下方側の電線８が収容溝部６０の係止片６７の傾斜面６７ａに当接される。
【００５０】
図７の（ａ）に示すように、二本の電線８を底部６１へ向かって押し下げると、傾斜面６７ａによって下方側の電線８が係止片６７の間に案内されて係止片６７の間に入り込む。すると、電線８によって側壁部６３における梁状部６６が外側へ押し出されて弾性変形し、係止片６７の間隔Ｇ２が広げられ、電線８が係止片６７の間を通過する。このとき、係止片６７の間隔Ｇ２が広げられることで外側へ押し出されて梁状部６６が大きく変形した際に、梁状部６６は、背面側に配置された変形防止壁７０の支持凸部７１に当接する。したがって、梁状部６６に無理な力が作用したとしても、梁状部６６の過度な変形が抑制される。
【００５１】
図７の（ｂ）に示すように、係止片６７の間を通過した下方側の電線８は、収容溝部６０内に収容され、上方側の電線８は、復元した側壁部６３の係止片６７の傾斜面６７ａに当接される。
【００５２】
図７の（ｃ）に示すように、上方側の電線８を底部６１へ向かって押し下げると、傾斜面６７ａによって上方側の電線８が係止片６７の間に案内されて係止片６７の間に入り込む。すると、電線８によって側壁部６３における梁状部６６が外側へ押し出されて弾性変形し、係止片６７の間隔Ｇ２が広げられ、電線８が係止片６７の間を通過する。
【００５３】
これにより、二本の電線８が収容溝部６０内へ順に収容され、係止片６７によって抜け止めされる（図５参照）。
【００５４】
ここで、参考例に係る電線保持構造１００について説明する。
図８は、参考例に係る電線保持構造１００の斜視図である。図９は、図８に示した収容溝部１１０への電線８の収容状態を示す図であって、図９の（ａ）及び（ｂ）は、それぞれ電線８の収容途中の図８におけるＢ−Ｂ断面図である。
【００５５】
図８に示すように、参考例に係る電線保持構造１００は、底部１０１から立設された一対の側壁部１０２を有する樋状に形成された収容溝部１１０を有している。側壁部１０２の両端には、それぞれ近接する方向へ突出する係止片１０３が形成されている。この参考例に係る電線保持構造１００では、収容溝部１１０の上方側から係止片１０３の間へ電線８が押し込まれることで、電線８が収容される。
【００５６】
この参考例では、図９の（ａ）に示すように、電線８が収容される際に、二本の電線８が係止片１０３の間へ同時に押し込まれると、図９の（ｂ）に示すように、係止片１０３の間隔が二本の電線８によって大きく広げられ、側壁部１０２が過度に変形される。すると、側壁部１０２が過度な変形によって塑性変形したり破損したりし、係止片１０３による電線８の抜け出し防止効果がなくなり、電線８が電線保持構造１００から抜け出してしまうおそれがある。
【００５７】
このため、この参考例では、側壁部１０２を過度に変形させないように、作業者は、電線８を一本ずつ把持して係止片１０３の間へ押し込んで収容させなければならず、配索作業が煩雑となる。
【００５８】
これに対して、本実施形態に係る電線保持構造３２によれば、収容溝部６０へ複数本の電線８を収容させる際に、複数本の電線８が電線整列部８０における一対のガイド壁部８１の間のガイドスリット８２に一本ずつ通されて収容溝部６０へ案内される。これにより、収容溝部６０を構成する一対の側壁部６３の係止片６７の間へ複数本の電線８がまとめて押し込まれることで側壁部６３が過度に変形されて塑性変形や破損するのを抑制できる。したがって、作業者は、必要以上に注意しながら作業することなく複数本の電線８を収容溝部６０へ収容させることができ、配索作業性を向上させることができる。
【００５９】
そして、本実施形態に係る電線保持構造３２を備えたバスバーモジュール１０によれば、バスバー５０に接続される電線８や単電池３の温度を検出するサーミスタなどから延びる電線８が、ケース２０に設けられた収容溝部６０へ円滑に収容されて配索される。詳しくは、ケース２０における二列のバスバー収容部２１を跨いで配索される複数本の電線８が、一対の電線配索溝部３１同士を連結するブリッジ部２５に設けられた収容溝部６０へ円滑に収容されて配索される。これにより、電池集合体１へ組付けるバスバーモジュール１０における配索作業性を向上させることができる。
【００６０】
更に、本実施形態に係る一対のガイド壁部８１の高さは、一対の側壁部６３の高さよりも高くされている。そこで、２本の電線８を電線保持構造３２に対する配索方向に沿って上方側から近付けるだけで、先ずはこれら電線８を電線整列部８０に沿わせることができる。そして、これら電線８を底部６１に向かって押し下げることで、複数本の電線が電線整列部における一対のガイド壁部の間に一本ずつ通されて収容溝部へ案内される。したがって、作業者は、複数本の電線を収容溝部へ容易に収容させることができ、配索作業性が更に向上する。
【００６１】
また、本実施形態に係る電線整列部８０は、収容溝部６０の両端側にそれぞれ設けられている。そこで、収容溝部６０の両端側で電線８を一本ずつに整列させることができ、収容溝部６０への複数本の電線８の収容作業をより円滑に行うことができる。
【００６２】
更に、側壁部６３に対して係止片６７の突出側と反対側に、変形防止壁７０が隙間をあけて設けられている。したがって、収容溝部６０への電線８の収容作業時などに、側壁部６３に無理な力が作用したとしても、側壁部６３が変形防止壁７０に当接することで過度な変形が抑制される。これにより、収容溝部６０を構成する側壁部６３（梁状部６６）の塑性変形や破損をより確実に抑制できる。
【００６３】
また、本実施形態に係る側壁部６３は、上縁部分が係止片６７を有する梁状部６６とされている。したがって、収容溝部６０へ電線８が押し込まれる際に、係止片６７が形成された側壁部６３は容易に弾性変形することができる。これにより、収容溝部６０への電線８の収容作業を容易に行うことができる。
【００６４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６５】
例えば、本発明の電線保持構造はブリッジ部２５に限らず、他の電線配索溝部３１，３３に適用してもよい。また、本発明の電線保持構造は、バスバーモジュール１０のケース２０に限らず、電線８が配索されるプロテクタ等の各種の電線保護部材に適用可能である。
また、上述した実施形態のバスバー５０では、単電池３の複数の電極５を電気的に接続固定するための複数の電気接続部として締結孔５１が形成され、この締結孔５１に通された電極５の極柱７にナットが螺合されて締結固定される場合を例に説明した。本発明に係るバスバーの電気接続部はこれに限らず、電極に溶接により固定される溶接部とすることもできることは云うまでもない。
【００６６】
ここで、上述した本発明に係る電線保持構造及びバスバーモジュールの実施形態の特徴をそれぞれ以下［１］〜［７］に簡潔に纏めて列記する。
［１］  底部（６１）と、前記底部（６１）から立設されて互いに対向位置に配置された一対の側壁部（６３）と、前記側壁部（６３）から互いに近接する方向へそれぞれ突設され、先端同士の間隔（Ｇ２）が電線（８）の外径寸法（Ｄ）よりも狭くされた係止片（６７）とを有し、複数本の前記電線（８）が収容される収容溝部（６０）と、
前記電線（８）の外径寸法（Ｄ）より大きくかつ前記電線（８）の二本分の外径寸法（Ｄ×２）より小さい間隔（Ｇ３）をあけて前記底部（６１）に立設された一対のガイド壁部（８１）を有して前記収容溝部（６０）の少なくとも一端側に設けられ、前記収容溝部（６０）へ前記複数本の電線（８）を一本ずつ整列させて導く電線整列部（８０）と、
を備えることを特徴とする電線保持構造（３２）。
［２］  前記一対のガイド壁部の高さが、前記一対の側壁部の高さよりも高いことを特徴とする上記［１］に記載の電線保持構造。
［３］  前記電線整列部（８０）は、前記収容溝部（６０）の両端側にそれぞれ設けられている
ことを特徴とする上記［１］または［２］に記載の電線保持構造（３２）。
［４］  前記側壁部（６３）に対して前記係止片（６７）の突出側と反対側に、変形防止部（変形防止壁７０）が隙間をあけて設けられている
ことを特徴とする上記［１］〜［３］のいずれか１つに記載の電線保持構造（３２）。
［５］  前記側壁部（６３）は、前記電線（８）の配索方向に沿う中央部分における前記底部（６１）側に切欠き部（６４）を設けることで、上縁部分が前記係止片（６７）を有する梁状部（６６）とされている
ことを特徴とする上記［１］〜［４］のいずれか１つに記載の電線保持構造（３２）。
［６］  複数の単電池（３）で構成された電池集合体（１）に組付けられるケース（２０）と、前記ケース（２０）に支持され、前記電池集合体（１）の前記単電池（３）の電極（５）に電気的に接続固定されるバスバー（５０）と、を備え、
上記［１］〜［５］のいずれか１つに記載の電線保持構造（３２）が前記ケース（２０）に設けられている
ことを特徴とするバスバーモジュール（１０）。
［７］  前記ケース（２０）は、二列に並べられたバスバー収容部（２１）の配列に沿う一対の電線配索溝部（３１）同士を連結するブリッジ部（２５）を有し、前記電線保持構造（３２）が前記ブリッジ部（２５）に設けられている
ことを特徴とする請求項６に記載のバスバーモジュール（１０）。
【符号の説明】
【００６７】
１…電池集合体
３…単電池
５…電極
８…電線
１０…バスバーモジュール
２０…ケース
３２…電線保持構造
５０…バスバー
６０…収容溝部
６１…底部
６３…側壁部
６７…係止片
８０…電線整列部
８１…ガイド壁部
Ｄ…外径寸法
Ｇ２，Ｇ３…間隔
【図１】
2020205186.tif 000003
【図２】
2020205186.tif 000004
【図３】
2020205186.tif 000005
【図４】
2020205186.tif 000006
【図５】
2020205186.tif 000007
【図６】
2020205186.tif 000008
【図７】
2020205186.tif 000009
【図８】
2020205186.tif 000010
【図９】
2020205186.tif 000011